(57)【要約】  ペン先（１）と、通気孔（２）と、スリット（３）と、先端（５）と、希少材料で作られたプレート（４）とからなるステログラフにおいて、前記プレート（４）は、前記通気孔（２）の近辺、かつ、前記ペン先（１）に存するインクの近辺に配置されることを特徴とするステログラフ。【選択図】  図５
2015514609.tif 000002
【特許請求の範囲】
【請求項１】
鋼鉄製ペン先（１）と、通気孔（２）と、スリット（３）と、先端（５）と、希少材料（好ましくは、金）で作られた少なくとも一つのプレート（４）と、からなるステログラフにおいて、
前記プレート（４）は前記通気孔（２）の近辺に配置され、
前記プレート（４）は前記ステログラフの内部の電気回路（８）により加熱することが可能であり、
前記電気回路（８）は前記ステログラフの内部に配置された少なくとも一つの抵抗（９）及び一つの電力供給用電池からなり、前記電池は、前記ステログラフの外側表面上に配置された少なくとも一つの光電池と代替可能であり、あるいは、当該光電池により充電可能であり、あるいは、当該光電池から電力を供給されるものであることを特徴とするステログラフ。
【請求項２】
前記ペン先（１）の内部に配置された前記電気回路（８）のワイヤの一部は前記凹部（７）の内壁に付着しているコイルを形成しており、さらに、前記凹部（７）及び／または前記プレート（４）の近辺において少なくとも一つの抵抗（９）を備えており、
前記鋼鉄製ペン先（１）の曲げ半径は３乃至８ｍｍであることを特徴とする請求項１に記載のステログラフ。
【請求項３】
前記プレート（４）は嵌め込みまたは接着剤により前記ペン先（１）に装着されていることを特徴とする請求項１または２に記載のステログラフ。
【請求項４】
前記プレート（４）は、当該プレート（４）のネジ端部（６）を前記ペン先（１）に形成されているネジ孔（７）にネジ止めすることにより、前記ペン先（１）に装着されていることを特徴とする請求項１に記載のステログラフ。
【請求項５】
前記プレート（４）は、前記通気孔（２）の近辺において、前記ペン先（１）の表面に溶接し、または、直接的に溶解させることにより、前記ペン先（１）に装着されていることを特徴とする請求項１に記載のステログラフ。
【請求項６】
前記プレート（４）は、前記ペン先（１）を構成する材料の比熱よりも低い、または、高い、好ましくは低い比熱を有する材料で作られていることを特徴とする請求項１乃至５の何れか一項に記載のステログラフ。
【請求項７】
前記プレート（４）は、前記ペン先（１）を構成する材料の熱伝導率よりも大きい熱伝導率を有する材料で作られていることを特徴とする請求項１乃至６の何れか一項に記載のステログラフ。
【請求項８】
前記プレート（４）は金及び／または他の貴金属または準貴金属からなり、前記ペン先（１）の残りの部分はチタンまたは鋼鉄からなるものであることを特徴とする請求項１乃至７の何れか一項に記載のステログラフ。
【請求項９】
前記プレート（４）は様々な形状を有しており、その質量は前記ペン先の質量の少なくとも１／５に等しいことを特徴とする請求項１乃至８の何れか一項に記載のステログラフ。
【発明の詳細な説明】
【技術分野】
【０００１】
本発明は、新しいタイプのステログラフ（鉄筆型万年筆）に関する。このステログラフのペン先の主要な構成要素は、当該ステログラフの技術的特徴、例えば書き味や耐久性などを向上させるために組み合わされており、同時に、手頃な価格を維持しつつ、当該ステログラフに対して優れた審美的特徴を付加するものである。
【背景技術】
【０００２】
ステログラフはリザーバ付きの特殊な形式のペンであり、その用途は長年にわたって知られている。
【０００３】
このステログラフには種々の先行品があるが、この種の形式のペンに関して最初に世に出た発明は１８２７年に遡る。これは、フランス政府がステログラフに特許を付与した年である。その後、多くの特許が輩出され、ステログラフを最も普及した筆記具の一つに押し上げた。特に、この種の形式のペンの使いやすさを大きく向上させた発明は、先端がイリジウムでできた金製のペン先、エボナイト、さらには、インクの自由流れの導入に関するものである。
【０００４】
しかしながら、これらの発明の大半には限度があり、特に、書き味が良くないものであった。この問題の主な原因はリザーバ（インク溜め）からペン先へのインクの導通にあった。一般的には、この問題は、毛細管作用、インクの粘度が大きすぎること、温度変化への感度が良すぎることなどが原因である。
【０００５】
これらの多岐にわたる原因に対して、１８８３年（この年は、本当の意味で機能的なステログラフのモデルが最初に開発された年である）以降、この広く使われ一般的になっている筆記具の書き味を改良するための一連の発明がなされた。この点に関しては、ペリカン社の発明、すなわち今日のステログラフにも使用されている交換可能なプラスチックカートリッジとともに、現在でも未だに使われているプランジャー駆動装置を提供した１９２９年の発明は留意すべきである。
【０００６】
この５０年間において、デジタル式に書くことは仮想的なものから現実的なものへと変貌したが、万年筆は未だに一般的に使用されており、特に、ステログラフ（鉄筆型万年筆）は重要書類の署名用として多く使われ続けている。今日、ステログラフはステイタスシンボルとしての機能、すなわち、高性能と審美的特徴とが結合した機能を獲得したものと言ってよい。この目的のため、本出願は、時間的な耐久性に関して最適な特徴を有するとともに、様々な物質の結合体で作られているペン先を有する新しい形式のステログラフを開示するものである。このペン先は、最終製品であるステログラフの品質を高めるにもかかわらず、高価ではなく、さらに、ペンの効率を高めるために採用されている組立式構造体に対してインクの化学的・物理的性状を向上させるものである。
【０００７】
ペン先は、インクを紙面上に直接に導くという基本的な役割を果たすものであるため、ステログラフの最も重要な部品の一つである。ペン先は常にインクと接触していることから、インクそれ自体を原因とする腐食に対する大きな抵抗を確保するために、ペン先は従来から金で作られてきた。しかしながら、ここ数年の技術の進歩により、鉄製のペン先が開発され、この鉄製ペン先は、腐食に対する耐性または抵抗が金または金合金よりも大きいことが判明した。このような重要な特徴を有しているにもかかわらず、特にマーケティング上の理由により、鉄製のペン先は十分な人気を得てはいない。今日においてもなお、腐食に関して金製ペン先が鉄製ペン先と同等の、そうでなければ劣った性状を有しているとしても、金製ペン先を有するステログラフが高い付加価値を有するものと一般には考えられている。実際のところ、金は展性を有する金属であるため、金製ペン先は、鉄製ペン先と比べて、容易に曲がったり変形しやすい。このため、ペンそれ自体あるいはペン先の表面を金で装飾して付加価値を高めた様々な鉄製ペンがここ数年の間に試作された。これらのケースにおいて、ペン先に付与すべき最終的な性状は鉄製ペン先の性状に類似したものであると考えられる。なぜならば、金の使用量及び金と鉄との結合方法はペン先の化学的・物理的性状を実質的に変えるものでもないし、ペン先の製造コストあるいは性能を実質的に変えるものでもないからである。この目的を達成するため、本発明は、種々の物質の結合体からなるペン先を有する新しく、かつ、高価ではないステログラフを提供するものである。そのような結合体の全ての要素及び材質の特徴が最大限に発揮されるとすれば、そのような結合体によって、書き味、効率及び審美性についてのペン先の特徴が改良される。
【０００８】
特に、これらの要素及び材質のいくつか（後に詳述する）を組み合わせてペン先を構成することにより、インクはペン先の近辺においてより流動的になるとともに、より低粘度になる。これにより、ペンの書き味及び効率が大幅に改良され、ひいては耐久性及び効率を向上させる。
【発明の概要】
【０００９】
本発明は、リザーバ付きの新しいタイプのペン、詳細には新しいタイプのステログラフ（鉄筆型万年筆）を提供するものである。この新しいタイプのステログラフは、複数の材質の結合体からなるペン先を備えている。この複数の材質は、外観上の特徴を有するとともに、ステログラフを用いて書く際の効率を高めるペン先になるように、混合・結合される。より詳細には、本発明が提供する新しいタイプのステログラフが備えるペン先は、現在市販されている一般的なステログラフと比較して、最適な書き味、より高い耐久性などの改良された重要な技術的特徴を与えるとともに、ペン先の一部が高価な材料であるにもかかわらず低価格であり、さらに、審美的な特徴を与える材料で作られている。
【００１０】
具体的には、本明細書に記載される本発明が提供する新しく、かつ、改良されたタイプのステログラフにおいては、ペン先を構成する材料は、金、鋼鉄、チタンもしくはパラジウムそのもの、またはそれらの合金からなる。さらに本発明は、これらの材料とは異なる材料であるもののこれらの材料と同様の化学的・物理的特性を備えるものであって本発明の目的によく適合する材料を含むものである。
【００１１】
この目的のためには、鋼鉄などの材料やチタニウムなどの結合要素が、機械的応力に対する抵抗を備えており、従って変形しにくいような物理的特性を有するものであることを確認することは重要である。鋼鉄などの材料は、インクによる腐蝕現象の影響をほとんど受けないものである。これに対し、金やパラジウムなどの金属は、希少価値があるとしても、明らかな展性を有しているため、容易に変形するものである。そうとはいえ、金などの材料は、本発明の目的を達成するために極めて有用な物理的性質を備えている。
【００１２】
例えば金は、比較的低い比熱の値（Ｊ／Ｋｇ＊Ｋ）を有している。具体的には、１２８（Ｊ／Ｋｇ＊Ｋ）である。これは、金の単位質量あたりの温度を１度上昇させるために必要な熱量が比較的小さいことを意味する。この重要な特性により、対象となっている物質を熱源の近くに置いたときに、容易かつ短時間で加熱可能であることが保証される。この特性、特にその性質に加え、金は比較的に高い熱伝導率の値を有している。具体的には、金の熱伝導率の値は３１７Ｗ／ｍ＊Ｋである。この値により、熱流と温度勾配との比率が決まる。換言すれば、この値はある物質が熱を伝導する能力を表している。これは、熱伝導率が大きくなるほど、熱の遮断性能が小さくなることを意味している。これら二つの性質を結合させることにより、金は、容易に加熱可能な材料であるとともに、良好な熱伝導体になる。これらの性質により、金などの材料が熱源に置かれたときに、あるいは小さな比較的暖かい環境に置かれたときに、容易に加熱されるとともに、外部から吸収した熱を接触の相手に均等かつ容易に伝導させることが可能になる。この目的のため、本発明に係るステログラフは上述の性質を有する希少材料で作られたプレートを備えたペン先を有している。このプレートはペン先に蓄えられたインクに近い位置にあるので、このプレートが熱源に近い位置にあるときに、あるいは上着やステログラフのケースなどの小さく比較的熱い環境にあるときに、インクを加熱してインクを液体状に維持する傾向にある。本発明におけるペン先の残りの部分は、異なる化学的・物理的性質を有する材料、例えば、鋼鉄やチタンなどで作られている。上述の材料の特定の結合により作られる本発明のペン先は、様々な機械的応力、例えば、紙面を押す先端の近辺の応力に対する高抵抗特性と、ペン先の通気孔及びペン先の存在するインクの近辺における高い熱伝導率とを組み合わせるものである。後者の性質は、インクの粘度を低下させるのみならず、インクの流動性を高める。その結果として、本発明に係るステログラフの書き味は明らかに改良される。過小評価してはならない他の点は、希少な材料で作られるプレートによりもたらされる特別かつ高レベルの美的外観である。鋼鉄のペン先上に施された希少材料は、その表面積が大きいほど大きい熱効率を発揮すると同時に、外観もより美的になる。
【００１３】
表１は、本発明において用いられる材料、具体的には、鋼鉄、金、チタン及びパラジウムの比熱及び熱伝導率の値を示す。
【００１４】
【表１】
2015514609.tif 000003
【００１５】
前述のプレートを構成する材料の低比熱及び高熱伝導率という特性をさらに向上させるため、本発明に係るステログラフには、２つの抵抗からなる小さな電気回路が備えられている。この電気回路はペンの内部に配置されているので、外部からは見えない。この電気回路は、外気温が極めて低い場合でもインクの流動性を維持するようにするため、プレートとペン先に存在するインクとを加熱する。
【００１６】
鋼鉄製ペン先１は３乃至８ｍｍの曲げ半径を有している。
【図面の簡単な説明】
【００１７】
【図１】図１は、通気孔２、スリット３、希少材料からなるプレート４及び先端５を備えるペン先１の図である。
【図２】図２は、プレート４を嵌め込みにより装着したペン先１の斜視図である。
【図３】図３は、ネジ端部６が形成されているプレート４を備えるペン先１の斜視図であり、プレート４は、ペン先１に形成されているネジ穴７にネジ端部６をねじ込むことにより、ペン先１に装着される。
【図４】図４は、プレート４をペン先１の表面に直接に接着することによりプレート４をペン先１に装着した場合のペン先１の斜視図である。
【図５】図５は、プレート４が上下逆向きのＵ字型の形状を有する場合のペン先１の斜視図であり、プレート４の下辺、すなわち、ペン先１の先端５に向かっている辺は通気孔２を取り囲んでいる。
【図６】図６は、プレート４が種々の形状を有する場合のペン先１の斜視図である。プレート４は、例えば、ハートのエース、クラブのエース、ダイヤのエース、スペードのエース、アルファベットの一文字、イルカなどの形状を取りうる。いずれの場合においても、プレートの表面積及び全質量は妥当な範囲内にとどまり、ペン先の鋼鉄の質量の１／５より小さくなることはない。
【図７】図７は、小さな電気回路８のワイヤ部分が外部から見える場合のペン先１の分解図である。ワイヤ部分は凹部７及びプレート４の近辺において巻かれてコイルを形成しており、２つの抵抗９、９′を備えている。抵抗９、９′に電力を供給する電池はペン１の本体の内部に配置されている。
【発明を実施するための形態】
【００１８】
本発明の全ての実施例に係るステログラフは、通気孔２を備えたペン先１を有している。通気孔２は、ペン先１の先端５で終端するスリット３に通じている。ペン先１の表面上であって通気孔２の近辺には、希少物質で作られた少なくとも一つのプレート４が配置されている。このプレート４は、様々な方法でペン先１の本体に装着される。プレート４は様々な形状を取りうるが、その質量はペン先１の鋼鉄の質量の１／５以上であることが必要である。
【００１９】
第一の実施例においては、ペン先１は希少物質、好ましくは金、からなるプレート４を備えており、プレート４は単純に嵌め込むことによりペン先１の本体に装着されている。このように簡単で既知の装着構造を選択することにより、プレート４をペン先１の本体上に安定的に取り付けることができる。
【００２０】
本発明の第二の実施例においては、プレート４は様々な形状を取りうるが、その質量はペン先１の鋼鉄の質量の１／５以上であることが必要であり、プレート４は、そのネジ端部６をネジが形成されている凹部７にネジ込む一般的な構造によって、ペン先１に装着される。凹部７は、ペン先１の表面上において、中央または横方向に、そのいずれにしても通気孔２の近辺において、形成される。
【００２１】
さらに他の実施例においては、プレート４は様々な形状を取りうるが、その全体質量はペン先の鋼鉄の質量の１／５以上であることが必要であり、プレートは単純に接着剤を介してペン先１の本体表面に装着される。
【００２２】
ペン先１上の円形のプレート４は単なる例示であり、本発明の範囲を限定するものではない。実際、本発明に係るステログラフは、実施例において様々な外観を取ることができる（図５及び図６参照）。例えば、プレート４は規則的もしくは不規則的な形状を取ることができ、あるいは、閉じた曲線からなる形状を取ることもできる。
【００２３】
本発明の様々な実施例においては、ペン先を構成する材料は様々な方法で結合することが可能である。例えば、ペン先１を構成する材料を鋼鉄、金、チタン及びパラジウムから選択する場合、好ましくはペン先１のプレート４の部分を金で、ペン先１の残りの部分を鋼鉄で構成することも可能である。このような金属の組み合わせの利点は、ペン先１が機械的応力に対して大きな抵抗を有することができることであり、このため機械的応力が作用する領域においてペン先１は変形しにくくなる。例えば、ペン先１は、書くときに紙面を押圧する先端５の近辺においては、変形しないものとなる。プレート４を金で作ることにより、ステログラフの外観が美的になるとともに、技術的な観点からもステログラフの書き味を改良することができる。上述したように、金の化学的・物理的特性が、例えば低比熱（１２９Ｊ／Ｋｇ＊Ｋ）及び高熱伝導率（３１７Ｗ／ｍ＊Ｋ）であることにより、プレート４を熱源の近くに置いたときに、プレート４は容易に加熱され、特定の場合においては、直接に接触している相手側、鋼鉄およびインクに吸収した熱を均等かつ容易に伝えることができる。本発明の重要な作用は、インクの流動性を高めるとともに、先端５の近辺のインクの粘度の低下させることにある。これにより、書き味及び書く際の滑らかさの大幅な向上がもたらされる。
【００２４】
なお、パラジウムとチタンを結合することによっても、すなわちペン先１のプレート４をパラジウムで作り、ペン先１の他の部分をチタンで作ることによっても、同様の効果を得ることができる。また、金とチタンを結合することによっても、すなわちプレート４を金で作り、ペン先１の他の部分をチタンで作ることによっても、あるいはプレート４をパラジウムで作り、ペン先の他の部分を鋼鉄で作ることによっても、同様である。
【００２５】
さらに他の実施例においては、本発明に係るステログラフはその内部において小さな電気回路８を備えるものとして構成される。電気回路８は、少なくとも一つの電池と少なくとも一つの抵抗９とからなるスイッチを構成し、ペンのユーザーは外部からアクセスすることが可能である。この小さな電気回路８の機能は、電気エネルギを熱エネルギに変換してプレート４を加熱すること、すなわちペン先の内部に存在するインクの近辺において熱を生成することである。この種の電気回路の作動は、抵抗９に電力を供給する電池を本発明に係るステログラフの本体内の任意の領域に配置することによりなされる。プレート４の近辺に配置される電気回路の構造は、プレート４を加熱するためには極めて重要である。すなわち、電気回路８のワイヤは、プレート４を取り囲み、かつ、凹部７の内壁に付着しているコイルを形成している。電気回路８のワイヤは、プレート４において、さらには凹部７において、少なくとも一つの抵抗９を備えている。この抵抗９は、電気回路８が閉じられたときに、プレートを加熱する機能を有している。回路８の全体、抵抗９及び電力供給用電池は、ステログラフを分解しない限り、外からは見えない。
【００２６】
あるいは、抵抗９は、ステログラフの本体上に配置された光電池から直接的に電力を供給されてもよい。また、この光電池が電池に電力を供給し、この電池が抵抗９に電力を供給するようにすることも可能である。
【図１】
2015514609.tif 000004
【図２】
2015514609.tif 000005
【図３】
2015514609.tif 000006
【図４】
2015514609.tif 000007
【図５】
2015514609.tif 000008
【図６】
2015514609.tif 000009
【図７】
2015514609.tif 000010
【国際調査報告】
2015514609.tif 000011
2015514609.tif 000012